(57)【要約】  【課題】  本発明の目的は、屋内に配線された光ファイバを引っ掛けて切断したり、最小許容曲げ半径より小さな半径で屈曲したりすることのないように保護して光ファイバの寿命を延ばすと共に、屋内の美観を良くする光ファイバの保護カバーを提供することにある。  【解決手段】  本発明の保護カバー２３は、光ファイバ１１が導入される第１ガイド口２７と、光ファイバ１１が導出される第２ガイド口２９と、これらガイド口２７、２９をつなぐガイド空間３１とを有し、第１ガイド口２７側のガイド空間３１の内面３３が光ファイバ１１の最小許容曲げ半径以上の半径を有する曲面に形成された保護カバー本体２５を備える。  【選択図】  図１
2006215587.tif 000002
【特許請求の範囲】
【請求項１】
光ファイバが導入される第１ガイド口と、光ファイバが導出される第２ガイド口と、これらガイド口をつなぐガイド空間とを有し、第１ガイド口側のガイド空間の内面が光ファイバの最小許容曲げ半径以上の半径を有する曲面に形成された保護カバー本体とを備えている光ファイバの保護カバーであって、前記保護カバー本体は光ファイバの外方を覆うと共にこの保護カバー本体が取り付けられる支持体側が全て開口するように形成され、さらにこの保護カバー本体の第２ガイド口側の両側縁下部に前記開口を塞ぐ蓋体が装着されており、この保護カバー本体の第１ガイド口側の縦断面の内面が上方に凸弧状に高くなり、且つ第１ガイド口側の横断面は底が深い略逆Ｕ字型をしており、さらにまた第１ガイド口が前記支持体側を向いて開口し、第２ガイド口が前記支持体の面に沿った方向を向いて開口しており、前記蓋体を前記保護カバー本体に嵌合させるときに、前記第２ガイド口側の両側縁下部に、保護カバー本体の長手方向に連続する内向きに形成された係止爪と、蓋体の両側縁近傍に、保護カバー本体の長手方向に連続する外向きに突設された係止爪を、蓋体側の係止爪が保護カバー本体の両側縁下部の内側に挿入されて保護カバー本体側の係止爪と係合して、蓋体が保護カバー本体に着脱自在に装着されることを特徴とする光ファイバの保護カバー。
【請求項２】
光ファイバが導入される側の支持体に配設されたコンセントボックスのカバーの一部に、保護カバー本体を嵌合させながら、保護カバー本体を光ファイバに被せて支持体に取り付けることを特徴とする請求項１に記載の光ファイバの保護カバー。
【発明の詳細な説明】
【技術分野】
【０００１】
本発明は、光ファイバの保護カバーに関するものである。
【背景技術】
【０００２】
情報通信分野はブロードバンド時代に突入し、インターネットに代表される情報化の波がオフィス、家庭等にまで押し寄せて来ている。そして、従来のＩＳＤＮやＡＤＳＬよりも更に高速、大容量通信を可能とするため、光ファイバをビル、オフィス、マンション、アパート、一般家屋等の建物内に屋内配線することも検討されている。
【０００３】
本発明者等は光ファイバの屋内配線方法として、図１０に示すように、屋外から光ファイバ１を既存の建物内に布設されている管路２を通して屋内に引き入れ布設し、壁、柱、床等の支持体３に取り付けたコンセントボックス４のカバー５から屋内に引き入れることを検討している。
【０００４】
例えば、屋内で光情報通信を利用するためには、光信号（Ｏ）を電気信号（Ｅ）にＯ／Ｅ変換器６を用いて変換する必要がある。そこで、カバー５から光ファイバ１を最小許容曲げ半径以上の半径でほぼ円弧状にわん曲させながら屋内へ引き入れた後、壁等の支持体３に取り付けたＯ／Ｅ変換器６まで支持体３に沿って露出配線する。そして、光ファイバ１の端末をＯ／Ｅ変換器６に接続する。このようにして、建物の屋外から屋内に引き入れ配線された光ファイバ１を流れる光信号（Ｏ）をＯ／Ｅ変換器６で電気信号（Ｅ）に変換し、各種情報通信機器を作動させて光通信を利用する。
【発明の開示】
【発明が解決しようとする課題】
【０００５】
しかしながら、光ファイバ１の屋内配線は前記のとおりカバー５からＯ／Ｅ変換器６に至るまで露出配線になるほか、特に、カバー５付近では、ほぼ円弧状にわん曲して支持体３から浮き上がっているため、建物内で仕事をする作業員、事務員、建物の住人等、建物内に居る者がその光ファイバ１を引っ掛けて切断する危険がある。また、光ファイバ１を引っ掛けると、管路２内の光ファイバ余長分がカバー５から屋内へ出てきてわん曲部分が大きくなるので、光ファイバ１が更に引っ掛かり易くなってしまう。また、屋内に配線された光ファイバが最小許容曲げ半径より小さな半径で屈曲される恐れが多分にあるので、光ファイバの寿命が短くなる問題がある。更に、光ファイバ１が露出された状態でわん曲していると、屋内の美観を損ねるという問題も生じる。
【０００６】
本発明は上記の課題を解決し、屋内に配線された光ファイバを引っ掛けて切断したり、最小許容曲げ半径より小さな半径で屈曲したりすることがないように保護して光ファイバの寿命を延ばすと共に、屋内の美観を良くする光ファイバの保護カバーを提供することを目的とする。
【課題を解決するための手段】
【０００７】
上記の目的を達成するために、本発明の請求項１に記載された光ファイバの保護カバーは、光ファイバが導入される第１ガイド口と、光ファイバが導出される第２ガイド口と、これらガイド口をつなぐガイド空間とを有し、第１ガイド口側のガイド空間の内面が光ファイバの最小許容曲げ半径以上の半径を有する曲面に形成された保護カバー本体を備えているものである。
【０００８】
このような保護カバー本体を備えた保護カバーで光ファイバを保護すると、光ファイバの屋内配線が露出配線でなくなり、建物内にいる者が光ファイバを引っ掛けて切断するのを防止することができる。また、光ファイバが最小許容曲げ半径より小さな半径で屈曲しなくなるので、光ファイバの屈曲による座屈や光伝送ロスの増加を防止することもできる。従って、光ファイバの寿命を延ばすことができ、保守管理が容易になる。更に、保護カバー本体はその第１ガイド口側のガイド空間の内面が光ファイバの最小許容曲げ半径以上の半径を有する曲面に形成されているので、全体的に流線型になり、屋内の美観を良くすることができる。
【０００９】
また、本発明の請求項２記載のものによると、請求項１記載の保護カバー本体は、光ファイバの外方を覆うと共にこの保護カバー本体が取り付けられる側が全て開口するように形成され、その保護カバー本体の第２ガイド口側の両側縁下部に前記開口を塞ぐ蓋体が着脱自在に装着されているものである。
【００１０】
このような構成の保護カバーによると、第２ガイド口側が管状になるので、保護カバーの機械的強度が大きくなって堅牢となり、保護カバーに大きな外力が作用しても光ファイバを確実に保護することができる。また、第２ガイド口側が二つ割り構造になる。そうすると、保護カバーを支持体に取り付ける場合には、保護カバー本体から蓋体を取り外して、この蓋体を予め支持体に固着させ、保護カバー本体は、支持体に配線された光ファイバを覆うように被せて前記蓋体に装着し、支持体に取り付けることができる。従って、保護カバーの取付け作業が簡単になり、取付け時間を短縮することができる。
【００１１】
また、本発明の請求項３記載のものによると、請求項１又は２記載の保護カバー本体は、第１ガイド口が前記支持体側を向いて開口し、第２ガイド口が前記支持体の面に沿った方向を向いて開口しているものである。
【００１２】
このような構成によると、光ファイバが導入される側の支持体に配設された一次側光部品から屋内に引き入れられる光ファイバの配線方向と保護カバー本体の第１ガイド口の向きが合致する。また、光ファイバが導出される側の支持体に配設された二次側光部品に接続される光ファイバの配線方向と保護カバー本体の第２ガイド口の向きが合致する。従って、前記一次側光部品と二次側光部品との間に配線される光ファイバに屈曲や変形等を生じさせずに、保護カバーを支持体に円滑に取り付けることができ、保護カバーの取付け作業性がより向上する。
【００１３】
更に、本発明の請求項４記載のものによると、請求項１、２又は３記載の保護カバー本体において、その第１ガイド口側の両側縁下部に切り欠き段部が形成されているものである。
【００１４】
このような構成によると、前記支持体に配線される光ファイバが導入される側の支持体に配設された一次側光部品の一部に、前記保護カバー本体の切り欠き段部を嵌合させながら、保護カバー本体を光ファイバに被せて支持体に取り付けることが可能になる。従って、保護カバーを支持体に取り付けたとき、支持体から飛び出る高さが低くなるので、保護カバーをコンパクトに取り付けることができる。また、保護カバーの取付け構造が堅牢になる。更に、光ファイバをより確実に保護することが出来る。
【発明の効果】
【００１５】
以上のようにしてなる本発明によれば、屋内に配線された光ファイバを引っ掛けて切断したり、最小許容曲げ半径より小さな半径で屈曲したりすることがないように保護して光ファイバの寿命を延ばすと共に、屋内の美観を良くする光ファイバの保護カバーを提供することを目的とする。
【発明を実施するための最良の形態】
【００１６】
本発明の実施形態を図面により詳細に説明する。図１は本発明に係る光ファイバの保護カバーの使用状態を示すもので、（イ）は正面図、（ロ）は側面図である。一般家屋等の建物の屋内に配置された各種情報機器を利用して光情報通信を行う場合には、図１に示すように、屋外から光ファイバ１１を建物内に予め布設されているか若しくは新規に布設された管路１３内に引き込み布設する。光情報通信に使用する光ファイバ１１は、一般に光伝送特性に優れた石英光ファイバ等のガラス系光ファイバを用いるが、プラスチック系光ファイバを使用することも可能である。
【００１７】
一方、建物内の壁、柱、床等の支持体１５（図示のものは壁を示す）の裏側には、コンセントを有するコンセントボックス１７を配設する。また、支持体１５の表側には、例えば、光信号（Ｏ）を電気信号（Ｅ）に変換するＯ／Ｅ変換器２１を配設する。Ｏ／Ｅ変換器２１はコンセントボックス１７より垂直上方向へ所定距離だけ離隔して配置されている。２２はＯ／Ｅ変換器２１に電力を供給して該変換器２１を動作したり、Ｏ／Ｅ変換された電気信号を取り出したり等するために該変換器２１に接続されたメタルケーブルである。
【００１８】
前記管路１３内に引き込み布設した光ファイバ１１はコンセントボックス１７のカバー１９に開けた孔から最小許容曲げ半径以上の半径でほぼ円弧状にわん曲させながら屋内に引き入れた後、Ｏ／Ｅ変換器２１まで支持体１５に沿って屋内配線する。そして、光ファイバ１１の端末をＯ／Ｅ変換器２１に接続する。屋内に引き入れ配線した光ファイバ１１内を伝送する光信号（Ｏ）はＯ／Ｅ変換器２１で電気信号（Ｅ）に変換し、各種情報通信機器を利用して情報通信を行う。
【００１９】
ところで、このように屋内配線された光ファイバ１１を利用して光情報通信を行う場合、光ファイバ１１の伝送等に使用される各種光部品（機器を含む）間に配線される光ファイバ１１は配線長が短いので露出配線になるのが普通である。前記の屋内配線例では、例えば、前記カバー１９からＯ／Ｅ変換器２１まで支持体１５に沿って配線される光ファイバ１１が露出配線になる。光ファイバ１１が露出配線になると、屋内で仕事をする作業員、事務員、建物の住人等、建物内に居る者が誤ってその光ファイバ１１を引っ掛けて切断する危険性が高くなる等の問題が生じるので、この部分の光ファイバ１１を図１に示すように保護カバー２３に収納して保護している。
【００２０】
本実施形態の光ファイバの保護カバー２３は、前記コンセントボックス１７のカバー１９からＯ／Ｅ変換器２１まで支持体１５に沿って屋内配線される光ファイバ１１を保護するために使用される。この保護カバー２３は、例えば、図２に詳細に示すように、光ファイバ１１が導入される第１ガイド口２７と、光ファイバ１１が導出される第２ガイド口２９と、これらガイド口２７、２９をつなぐガイド空間３１とを有し、第１ガイド口２７側のガイド空間３１の内面３３が光ファイバ１１の最小許容曲げ半径以上の半径を有する曲面に形成された保護カバー本体２５を備えている。
【００２１】
更に構成を詳細に説明すると、この保護カバー本体２５は、支持体１５に沿って配線される光ファイバ１１の上方及び左右側方の三外方を覆うと共に、第１ガイド口２７側の内面（天井）３３が上方に凸弧状に高くなり、それから第２ガイド口２９側に向けて高さ位置が漸次低くなるように傾斜して形成されている。また、下方、即ち、支持体１５に面する側が光ファイバ１１の配線方向に沿って全て開口するように形成される。更に、第１ガイド口２７側の横断面は底が深い略逆Ｕ型に、第２ガイド口２９側の横断面は端部に向けて徐々に底が浅くなる略逆Ｕ型になり、端部が下方（支持体１５側）に開口する略コ字型になっている。
【００２２】
また、前記保護カバー本体２５の第２ガイド口２９側半分の両側縁下部には、前記開口を塞ぐように矩形板状の蓋体３５が着脱自在に装着され、保護カバー２３の第２ガイド口２９側が管状に形成される。蓋体３５の両側縁には保護カバー本体２５の長手方向に沿って連続する係止爪３６が突設され、蓋体３５を保護カバー本体２５に嵌合させたとき、係止爪３６が保護カバー本体２５の両側縁下部の外側面と摩擦係合して、蓋体３５が保護カバー本体２５に着脱自在に装着される。
【００２３】
また、前記第１ガイド口２７は支持体１５に面する側を向いて開口し、前記第２ガイド口２９は支持体１５の面に沿った方向、即ち、支持体１５の面に平行になる方向を向いて開口している。更に、保護カバー本体２５の第１ガイド口２７側の両側縁下部には、前記支持体１５の面に平行に切り欠いた切り欠き段部２６が形成されている。前記保護カバー本体２５及び蓋体３５は鉄、アルミ等の金属材用やプラスチック材料を成形することにより形成される。
【００２４】
このような構成の光ファイバの保護カバー２３を用いて前記コンセントボックス１７のカバー１９とＯ／Ｅ変換器２１との間の支持体１５に配線される光ファイバ１１を保護する場合には次のようにして行う。先ず、保護カバー本体２５から蓋体３５を取り外して、この蓋体３５を光ファイバ１１を配線する前、又は配線した後、前記カバー１９とＯ／Ｅ変換器２１間における支持体１５の所定位置に接着、ボルト、ねじ締付け等の手段で固着させる。
【００２５】
次に、光ファイバ１１を配線する前に蓋体３５を支持体１５に固着した場合には、光ファイバ１１を支持体１５に沿って配線した後、保護カバー本体２５を光ファイバ１１の上方から被せて前記蓋体３５に着脱自在に装着すると共に、保護カバー本体２５の切り欠き段部２６をカバー１９の一部、Ｏ／Ｅ変換器２１側の上部に嵌合させる。このようにして、保護カバー本体２５を支持体に固着させた蓋体に着脱自在に装着して保護カバー２３を支持体１５に取り付けると同時に、保護カバー２３内に光ファイバ１１を収納し、光ファイバ１１を外力等から保護する。
【００２６】
前記実施形態の光ファイバ１１の保護カバー２３は、第１ガイド口２７側のガイド空間３１の内面３３が光ファイバ１１の最小許容曲げ半径以上の半径を有する曲面に形成された保護カバー本体２５を備えており、この保護カバー本体２５を備えた保護カバー２３で光ファイバ１１を保護する。従って、光ファイバ１１の屋内配線が露出配線でなくなり、作業者、事務員、住人等、建物内にいる者が光ファイバ１１を引っ掛けて切断するのを防止することができる。
【００２７】
また、光ファイバ１１が最小許容曲げ半径より小さな半径で屈曲しなくなるので、光ファイバ１１の屈曲による座屈や光伝送ロスの増加を防止することもできる。従って、光ファイバ１１の寿命を延ばすことができ、保守管理が容易になる。更に、保護カバー本体２５はその第１ガイド口２７側のガイド空間３１の内面３３が光ファイバ１１の最小許容曲げ半径以上の半径を有する曲面に形成されているので、全体的に流線型になり、屋内の美観を良くすることができる。
【００２８】
また、この保護カバー２３の第２ガイド口２９側は保護カバー本体２５の両側縁下部に蓋体３５が着脱自在に装着されて管状になるので、保護カバー２３の機械的強度が大きくなって堅牢となり、保護カバー２３に大きな外力が作用しても光ファイバ１１を確実に保護することができる。また、第２ガイド口２９側が二つ割り構造になる。そうすると、保護カバー２３を支持体１５に取り付ける場合には、保護カバー本体２５から蓋体３５を取り外して、この蓋体３５を予め支持体１５に固着させ、保護カバー本体２５は、支持体１５に沿って配線された光ファイバ１１を覆うように被せて前記蓋体３５に装着し、支持体１５に取り付けることができる。従って、保護カバー２３の取付け作業が簡単になり、取付け時間を短縮することができる。
【００２９】
また、前記保護カバー本体２５は、第１ガイド口２７が前記支持体１５側を向くように開口し、第２ガイド口２９が前記支持体１５の面に沿った方向を向くように開口している。そうすると、光ファイバ１１のコンセントボックス１７のカバー１９から屋内に引き入れられる光ファイバ１１の配線方向と保護カバー本体２５の第１ガイド口２７の向きが合致する。また、Ｏ/Ｅ変換器２１に接続される光ファイバ１１の配線方向と保護カバー本体２５の第２ガイド口２９の向きが合致する。従って、前記カバー１９とＯ/Ｅ変換器２１との間に配線される光ファイバ１１に無理な屈曲や変形等を生じさせずに、保護カバー２３を支持体１５に円滑に取り付けることができ、保護カバー２３の取付け作業性がより向上する。
【００３０】
更に、前記保護カバー本体２５の第１ガイド口２７側の両側縁下部には切り欠き段部２６が形成されている。そうすると、光ファイバ１１が導入される側の支持体１５に配設されたコンセントボックス１７のカバー１９の一部に、保護カバー本体２５の切り欠き段部２６を嵌合させながら、保護カバー本体２５を光ファイバ１１に被せて支持体１５に取り付けることが可能になる。従って、保護カバー２３を支持体１５に取り付けたとき、支持体１５から飛び出る高さが低くなるので、保護カバー２３をコンパクトに取り付けることができる。また、保護カバーの取付け構造が堅牢になる。更に、光ファイバをより確実に保護することが出来る。
【００３１】
本発明の保護カバーは図１乃至２に示す保護カバー２３以外のものを使用することができる。例えば、図３に示す保護カバー３７は、保護カバー本体３９の第１ガイド口２７側の両側面が外側方へ凸弧状にわん曲して形成されている。また、第１ガイド口２７側の横断面は下方（支持体１５側）に開口する半円弧型になっているが、前記両側面のわん曲に伴い、長手方向中央部分の半円弧の半径が一番大きくなるように形成されている。更に、第２ガイド口２９側の横断面は、その端部に向けて徐々に半径が小さくなり、下方（支持体１５側）に開口する半円弧型になっている。その他の構成は前記保護カバー２３と実質同一である。この保護カバー３７を使用すると、更に屋内の美観を良くすることができる。
【００３２】
また、図４に示す保護カバー４１は保護カバー本体４３の第１ガイド口２７側及び第２ガイド口２９側の各横断面が下方（支持体１５側）が開口する略コ字型になっている。また、第２ガイド口２９側半分の両側縁下部には保護カバー本体４３の長手方向に連続する内向きの係止爪４４が形成され、蓋体３５の両側縁近傍には保護カバー本体４３の長手方向に連続する外向きの係止爪４５が突設される。そして、蓋体３５を保護カバー本体４３に嵌合させたとき、蓋体３５側の係止爪４５が保護カバー本体４３の両側縁下部の内側に挿入されて保護カバー本体４３側の係止爪４３と係合して、蓋体３５が保護カバー本体４３に着脱自在に装着される。その他の構成は前記保護カバー２３と実質同一である。この保護カバー４１を使用すると、保護カバー本体４３と蓋体３５との装着がよりしっかりする。従って、保護カバー４１を支持体１５に取り付けて使用中にちょっとした外力で簡単に外れるようなことがなく、光ファイバ１１をより確実に保護することができる。
【００３３】
更に、図５に示す保護カバー４７は、保護カバー本体４９が管状（チューブ状）の一体構造になっており、保護カバー本体４９の第２ガイド口２９側に蓋体３５が着脱自在に装着されるような二つ割り構造にはなっていない。その他の構成は保護カバー２３と実質同一である。この保護カバー４７は金属材料やプラスチック材料を成形加工等することで得られる。この保護カバー本体４９の第２ガイド口２９側の両側縁下部には、保護カバー本体４９を支持体１５に取付け固定するために、例えば、長手方向に沿って矩形状鍔５１が形成され、複数のねじ穴５３が設けられている。なお、保護カバー４７は接着剤等で支持体１５に固定するようにしてもよい。
【００３４】
この保護カバー４７を用いて光ファイバ１１を保護する場合には、支持体１５に所定距離隔てて前記コンセントボックス１７とＯ／Ｅ変換器２１を配設すると共に、コンセントボックス１７のカバー１９とＯ／Ｅ変換器２１間に保護カバー４７を配置し、そのねじ穴５３にボルトやねじを挿入して締め付けて、保護カバー４７を支持体１５に取り付ける。そして、建物内の管路１３内に引き込み布設した光ファイバ１１をコンセントボックス１７のカバー１９から屋内に引き入れる。次に、この光ファイバ１１を保護カバー４７の第１ガイド口２７からカバー内部に導入して光ファイバ１１の最小許容曲げ半径以上の半径でほぼ円弧状にわん曲させながら保護カバー４７内に挿通させる。更に、この光ファイバ１１を第２ガイド口２９から導出させて端末をＯ／Ｅ変換器２１に接続する。このようにして、保護カバー４７内に光ファイバを収納することにより光ファイバ１１を保護する。
【００３５】
更に、図６に示す保護カバー５５は、保護カバー本体５７が支持体１５に沿って配線される光ファイバ１１の上方及び左右側方の三外方を覆うと共に、第１ガイド口２７側の内面（天井）３３が上方に凸弧状に高くなり、それから第２ガイド口２９側に向けて高さ位置が漸次低くなるように傾斜して形成されている。また、下方、即ち、支持体１５に面する側が光ファイバ１１の配線方向に沿って全て開口するように形成される。また、第１ガイド口２７側の横断面は底が深い略逆Ｕ型に、第２ガイド口２９側の横断面は端部に向けて徐々に底が浅くなる略逆Ｕ型になり、端部が下方（支持体１５側）に開口する略コ字型になっている。また、保護カバー本体５７の両外側壁の上部には、保護カバー本体５７の長手方向に沿って流線型の帯状突段部５８が形成されるように、その突段部５８より下方（支持体１５側）の両側壁の外幅が帯状突段部５８の両側壁の外幅よりも少し狭くなっている。また、前記第１ガイド口２７は支持体１５に面する側を向いて開口し、前記第２ガイド口２９は支持体１５の面に沿った方向、即ち、支持体１５の面に平行になる方向を向いて開口し、更に、保護カバー本体５７の第１ガイド口２７側の両側縁下部には、前記支持体１５の面に平行に切り欠いた切り欠き段部２６が形成されている。
【００３６】
更に、前記保護カバー本体５７の第２ガイド口２９側略半分の両側縁下部には、保護カバー本体５７の長手方向に連続する内向きの係止爪４４が形成され、蓋体３５の両側縁近傍には保護カバー本体５７の長手方向に連続する外向きの係止爪４５が突設される。そして、蓋体３５を保護カバー本体５７に嵌合させたとき、蓋体３５側の係止爪４５が保護カバー本体５７の両側縁下部の内側に挿入されて保護カバー本体５７側の係止爪４３と係合して、蓋体３５が保護カバー本体５７に着脱自在に装着される。なお、５３は蓋体３５を支持体１５に取り付けるために形成された複数（図示のものは２個）のねじ穴である。この保護カバー５５を使用すると、保護カバー４１（図４参照）と同様に光ファイバ１１をより確実に保護することができるほか、屋内の美観をより向上させることができる。図７はこの保護カバー５５を支持体１５のコンセントボックス１７のカバー１９とその垂直上方向に所定距離だけ離隔して配置されたＯ／Ｅ変換器２１間に配線された光ファイバ１１を保護するために使用した状態を示すもので、（イ）は正面図、（ロ）は側面図である。
【００３７】
なお、保護カバー５５は、図８に示すように、支持体１５のコンセントボックス１７のカバー１９とその水平方向（横方向）に所定距離だけ離隔して配置されたＯ／Ｅ変換器２１間に配線された光ファイバ１１を保護するために使用してもよい。また、図９に示すように、支持体１５のコンセントボックス１７のカバー１９とその垂直下方向に所定距離だけ離隔して配置されたＯ／Ｅ変換器２１間に配線された光ファイバ１１を保護するために使用してもよい。更に、図示しないが、コンセントボックス１７のカバー１９に対して斜めに傾斜した方向に配置されたＯ／Ｅ変換器２１間に配線された光ファイバ１１を保護するために使用してもよい。更に、保護カバー５５の代わりに前記保護カバー２３、３７、４１、４７を図８、図９等に示すように配線された光ファイバ１１を保護するために使用してもよい。
【００３８】
前記保護カバー３７、４１、４７、５５を使用した場合でも、保護カバー２３を使用した場合と同様に、光ファイバ１１を引っ掛けて切断したり、最小許容曲げ半径より小さな半径で屈曲したりすることがないように保護して光ファイバの寿命を延ばすと共に、屋内の美観を良くすることができる。
【００３９】
以上説明したように、本発明の請求項１に記載された光ファイバの保護カバーによると、その第１ガイド口側におけるガイド空間の内面が光ファイバの最小許容曲げ半径以上の半径を有する曲面に形成されているので、建物内にいる者が光ファイバを引っ掛けて切断するのを防止することができる。また、光ファイバの屈曲による座屈や光伝送ロスの増加を防止することもできる。従って、光ファイバの寿命を延ばすことができ、保守管理が容易になる。更に、保護カバー本体は全体的に流線型になるので屋内の美観を良くすることができる。
【００４０】
また、本発明の請求項２記載のものによると、第２ガイド口側が管状になるので、保護カバーが堅牢となり、光ファイバを確実に保護することができる。また、保護カバーを支持体に取り付ける場合には、保護カバー本体から蓋体を取り外して、この蓋体を予め支持体に固着させてから、光ファイバを覆うように蓋体に装着し、支持体に取り付けることができる。従って、保護カバーの取付け作業が簡単になり、取付け時間を短縮することができる。
【００４１】
また、本発明の請求項３記載のものによると、第１ガイド口が前記支持体側を向いて開口し、第２ガイド口が前記支持体の面に沿った方向を向いて開口しているので、前記一次側光部品と二次側光部品との間に配線される光ファイバに屈曲や変形等を生じさせずに、保護カバーを支持体に円滑に取り付けることができ、保護カバーの取付け作業性がより向上する。
【００４２】
更に、本発明の請求項４記載のものによると、その第１ガイド口側の両側縁下部に保護カバー本体取付け用の切り欠き段部が形成されているので、この部分が前記一次側光部品の一部に嵌合させて保護カバー本体を光ファイバに被せて支持体に取り付けることが可能になる。従って、保護カバーを支持体に取り付けたとき、支持体から飛び出る高さが低くなって、保護カバーをコンパクトに取り付けることができる。また、保護カバーの取付け構造が堅牢になる。更に、光ファイバをより確実に保護することが出来る。
【図面の簡単な説明】
【００４３】
【図１】本発明に係る光ファイバの保護カバーの使用状態を示すもので、（イ）は正面図、（ロ）は側面図である。
【図２】図１に使用する光ファイバの保護カバーの詳細を示すもので、（イ）は正面図、（ロ）は平面図、（ハ）は側面図である。
【図３】図２の保護カバーとは異なる構成の保護カバーを示すもので、（イ）は正面図、（ロ）は平面図、（ハ）は側面図である。
【図４】図２乃至３の保護カバーとは更に異なる構成の保護カバーを示すもので、（イ）は正面図、（ロ）は平面図、（ハ）は側面図である。
【図５】図２乃至４の保護カバーとは更に異なる構成の保護カバーを示すもので、（イ）は正面図、（ロ）は平面図、（ハ）は側面図である。
【図６】図２乃至５の保護カバーとは更に異なる構成の保護カバーを示すもので、（イ）は正面図、（ロ）は平面図、（ハ）は側面図である。
【図７】図６の保護カバーの使用状態を示すもので、（イ）は正面図、（ロ）は側面図である。
【図８】図６の保護カバーの図７に示すものとは異なる使用状態の正面図である。
【図９】図６の保護カバーの図７、８に示すものとは異なる使用状態の正面図である。
【図１０】従来の保護カバーの使用状態を示すもので、（イ）は正面図、（ロ）は側面図である。
【符号の説明】
【００４４】
１１  光ファイバ  
１３  管路
１５  支持体
１７  コンセントボックス
１９  カバー
２１  Ｏ／Ｅ変換器
２２  メタルケーブル
２３、３７、４１、４７、５５  保護カバー
２５、３９、４３、４９、５７  保護カバー本体
２６  切り欠き段部
２７  第１ガイド口
２９  第２ガイド口
３１  ガイド空間
３３  内面
３５  蓋体
３６、４４、４５  係止爪
５１  矩形状鍔
５３  ねじ穴
５８  帯状突段部
【図１】
2006215587.tif 000003
【図２】
2006215587.tif 000004
【図３】
2006215587.tif 000005
【図４】
2006215587.tif 000006
【図５】
2006215587.tif 000007
【図６】
2006215587.tif 000008
【図７】
2006215587.tif 000009
【図８】
2006215587.tif 000010
【図９】
2006215587.tif 000011
【図１０】
2006215587.tif 000012